(57)【特許請求の範囲】
【請求項１】
少なくとも、圧縮機と、室内熱交換器と、電子膨張弁と、室外熱交換器と、前記室内熱交換器へ送風する室内送風ファンと、前記室外熱交換器へ送風する室外送風ファンと、室内熱交換器の温度を検知する室内熱交換器温度検出手段と、前記室外熱交換器の温度を検知する室外熱交換器温度検出手段と、室温を検出する室温検出手段とを備え、前記圧縮機の運転を開始してから所定時間経過したときに前記室内熱交換器と室温との温度差が所定温度以内のときに前記圧縮機の運転を停止し、前記室内熱交換器と室温との温度差が所定温度以上のときであって、前記室内送風ファンが停止している場合は、前記室内送風ファンが停止している場合は、前記室外送風ファンを停止または微風とし、前記室外熱交換器の温度変化を検出し、前記室外熱交換器の温度変化が所定以内であれば、前記圧縮機の運転を停止することを特徴とする空気調和機。
【請求項２】
少なくとも、圧縮機と、室内熱交換器と、電子膨張弁と、室外熱交換器と、前記室内熱交換器へ送風する室内送風ファンと、前記室外熱交換器へ送風する室外送風ファンと、室内熱交換器の温度を検知する室内熱交換器温度検出手段と、前記室外熱交換器の温度を検知する室外熱交換器温度検出手段と、室温を検出する室温検出手段と、室外気温を検出する外気温度検出手段とを備え、前記圧縮機の運転を開始してから所定時間経過したときに前記室内熱交換器と室温との温度差が所定温度以内のときに前記圧縮機の運転を停止し、前記室内熱交換器と室温との温度差が所定温度以上のときであって、前記室内送風ファンが停止している場合は、前記室外送風ファンを停止または微風とし、前記室外熱交換器の温度と室外気温とを比較し、その温度差が所定温度以内であれば、前記圧縮機の運転を停止することを特徴とする空気調和機。
【請求項３】
前記圧縮機の初回起動時のみ、請求項１または２のいずれか１項に記載の制御を行う空気調和機。
【発明の詳細な説明】
【技術分野】
【０００１】
本発明は、空気調和機の制御に関する。
【背景技術】
【０００２】
従来の空気調和機の制御方法には、圧縮機の運転が開始されてから所定時間経過した後に、室温と室内熱交換器の中間部の温度を検出して、検出した室温と室内熱交換器温度との温度差が所定温度以内の時に冷媒が流れていないと判断し、圧縮機を停止する保護制御がある（例えば、特許文献１参照）。
【先行技術文献】
【特許文献】
【０００３】
【特許文献１】特開２００３−０９０５８２号公報
【発明の概要】
【発明が解決しようとする課題】
【０００４】
しかしながら、前記従来の空気調和機の保護制御において、例えば、設置時に弁を開く作業を忘れた場合、冷風防止のため室内送風ファンを停止し、室温が低い状態で、室内熱交換器の温度が上昇し、冷媒が流れていないにもかかわらず、室温と室内熱交換器の温度に温度差が生じてしまい、冷媒が流れていると誤って判断してしまうという課題を有していた。
【０００５】
これは、何らかの冷凍サイクル上において不具合があり、圧縮機からの吐出冷媒が室内機までは流れるが、室外機へは流れない場合などが考えられ、室内送風ファンが停止していることによって、さらに排熱が行われず、室温と室内熱交換器の温度に差が生じてしまうことに起因する。
【０００６】
本発明は、前記従来の課題を解決するもので、室温が低い場合であっても、正確に冷凍サイクルの不具合を検出し、確実に圧縮機の保護を行うことができる空気調和機提供することを目的とする。
【課題を解決するための手段】
【０００７】
前記従来の課題を解決するために、本発明の空気調和機は、少なくとも、圧縮機と、室内熱交換器と、電子膨張弁と、室外熱交換器と、室内熱交換器へ送風する室内送風ファンと、室外熱交換器へ送風する室外送風ファンと、室内熱交換器の温度を検知する室内熱交換器温度検出手段と、室外熱交換器の温度を検知する室外熱交換器温度検出手段と、室温を検出する室温検出手段とを備え、圧縮機の運転を開始してから所定時間経過したときに室内熱交換器と室温との温度差が所定温度以内のときに圧縮機の運転を停止し、室内熱交換器と室温との温度差が所定温度以上のときであって、室内送風ファンが停止している場合は、前記室外送風ファンを停止または微風とし、室外熱交換器の温度変化を検出し、室外熱交換器の温度変化が所定以内であれば、圧縮機の運転を停止することにより、室内機と室外機とを接続する二方弁や三方弁の開け忘れなどの不具合を確実に検知し、圧縮機の保護を図ることができる。
【０００８】
また、前記従来の課題を解決するために、本発明の空気調和機は、少なくとも、圧縮機と、室内熱交換器と、電子膨張弁と、室外熱交換器と、室内熱交換器へ送風する室内送風ファンと、室外熱交換器へ送風する室外送風ファンと、室内熱交換器の温度を検知する室内熱交換器温度検出手段と、室外熱交換器の温度を検知する室外熱交換器温度検出手段と、室温を検出する室温検出手段と、室外気温を検出する外気温度検出手段とを備え、圧縮機の運転を開始してから所定時間経過したときに室内熱交換器と室温との温度差が所定温度以内のときに圧縮機の運転を停止し、室内熱交換器と室温との温度差が所定温度以上のときであって、室内送風ファンが停止している場合は、前記室外送風ファンを停止または微風とし、室外熱交換器の温度と室外気温とを比較し、その温度差が所定温度以内であれば、圧縮機の運転を停止することにより、室内機と室外機とを接続する二方弁や三方弁の開け忘れなどの不具合を確実に検知し、圧縮機の保護を図ることができる。
【発明の効果】
【０００９】
本発明は、室温が低い場合であっても、正確に冷凍サイクルの不具合を検出し、確実に圧縮機の保護を行うことができる空気調和機提供することができる。
【図面の簡単な説明】
【００１０】
【図１】本発明の実施の形態１における空気調和機の構成図
【図２】同実施の形態１における空気調和機の圧縮機の保護制御のフローチャート
【図３】本発明の実施の形態２における空気調和機の圧縮機の保護制御のフローチャート
【発明を実施するための形態】
【００１１】
第１の発明の空気調和機は、少なくとも、圧縮機と、室内熱交換器と、電子膨張弁と、室外熱交換器と、室内熱交換器へ送風する室内送風ファンと、室外熱交換器へ送風する室外送風ファンと、室内熱交換器の温度を検知する室内熱交換器温度検出手段と、室外熱交換器の温度を検知する室外熱交換器温度検出手段と、室温を検出する室温検出手段とを備え、圧縮機の運転を開始してから所定時間経過したときに室内熱交換器と室温との温度差が所定温度以内のときに圧縮機の運転を停止し、室内熱交換器と室温との温度差が所定温度以上のときであって、室内送風ファンが停止している場合は、前記室外送風ファンを停止または微風とし、室外熱交換器の温度変化を検出し、室外熱交換器の温度変化が所定以内であれば、圧縮機の運転を停止することにより、室内機と室外機とを接続する二方弁や三方弁の開け忘れなどの不具合を確実に検知し、圧縮機の保護を図ることができる。
【００１２】
第２の発明の空気調和機は、少なくとも、圧縮機と、室内熱交換器と、電子膨張弁と、室外熱交換器と、室内熱交換器へ送風する室内送風ファンと、室外熱交換器へ送風する室外送風ファンと、室内熱交換器の温度を検知する室内熱交換器温度検出手段と、室外熱交換器の温度を検知する室外熱交換器温度検出手段と、室温を検出する室温検出手段と、室外気温を検出する外気温度検出手段とを備え、圧縮機の運転を開始してから所定時間経過したときに室内熱交換器と室温との温度差が所定温度以内のときに圧縮機の運転を停止し、室内熱交換器と室温との温度差が所定温度以上のときであって、室内送風ファンが停止している場合は、前記室外送風ファンを停止または微風とし、室外熱交換器の温度と室外気温とを比較し、の温度差が所定温度以内であれば、圧縮機の運転を停止することにより、室内機と室外機とを接続する二方弁や三方弁の開け忘れなどの不具合を確実に検知し、圧縮機の保護を図ることができる。
【００１４】
第３の発明の空気調和機は、特に第１または第２の発明において、前記圧縮機の初回起動時のみ行なうことにより、二・三方弁の開け忘れや膨張弁の詰まりといった初期不良の判断をすることができ、設置初回以降は判定を行わず通常の運転を継続するため、室外送風ファンの停止というような通常の空調運転とは異なる判定動作を行わないことで、快適性を損なうことを防止することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の構成図である。図１に示すように、本発明の空気調和機は、室外に設置する室外機１と、室内に設置する室内機１３とを冷媒配管５および冷媒配管６で接続することによって構成される。
【００１７】
次に、室外機１の構成について説明する。本実施の形態１における室外機１は、筐体の内部に、冷媒を圧縮する圧縮機２と、冷媒流路を切り替える四方弁７と、外気と冷媒とを熱交換する室外熱交換器３と、冷媒を減圧する電子膨張弁８と、室外熱交換器３へ送風し冷媒と空気との熱交換を促進する室外送風ファン４とを少なくとも備える。
【００１８】
さらに、室外熱交換器３の温度を検出する室外熱交換器温度検出手段９と、外気温度を検出する外気温度検出手段１０と、圧縮機２の吐出側には吐出冷媒温度を検知する吐出温度検出手段２０とを備え、それぞれサーミスタ等の温度を検知できる装置によって構成される。
【００１９】
次に、室内機１３の構成について説明する。本実施の形態１における室内機１３は、筐体の内部に、室内空気と冷媒とを熱交換する室内熱交換器１５と、室内熱交換器１５へ送風し冷媒と室内空気との熱交換を促進する室内送風ファン１４とを少なくとも備える。
【００２０】
さらに、室内熱交換器１５の温度を検出する室内熱交換器温度検出手段１６と、室温を検出する室温検出手段１７とを備え、それぞれサーミスタ等の温度を検知できる装置によって構成される。
【００２１】
なお、図１に示すように、点線矢印は冷房運転時の冷媒の流れ方向を示し、実線矢印は暖房運転時の冷媒の流れ方向を示す。同様に、四方弁７の点線は冷房運転時の冷媒の流路を示し、実線矢印は暖房運転時の冷媒の流路を示す。
【００２２】
また、室外機１の側面に設けた配管取付口には、室内機１３と接続される冷媒配管５および６を取り付けるための二方弁１１および三方弁１２が設けられている。通常、空気調和機の設置業者は、空気調和機を設置した際に冷媒配管５および６を接続後、二方弁１１および三方弁１２を開く作業を行なう必要がある。
【００２３】
しかしながら、二方弁１１および三方弁１２を開き忘れ、正常に空調運転ができない場合がある。そこで、本実施の形態では冷凍サイクル上に何らかの異常が発生していることを確実に検出し、圧縮機の運転を停止して、圧縮機の保護を行なっている。以下、本実施の形態１における圧縮機の保護制御について説明する。
【００２４】
図２は、本発明の実施の形態１における圧縮機の保護制御のフローチャートである。まず、ステップＳＰ０１において運転を開始する。そして、ステップＳＰ０２で吐出温度検出手段２０で検出される温度が、ある所定の温度Ｔｏ（例えば、１００℃）よりも低いかどうかを判断する。このときの所定の温度とは、圧縮機の保護をする必要がある高温の上限温度とし、圧縮機の性能によって一義的に決定されるものではない。
【００２５】
ステップＳＰ０２で吐出温度検出手段２０で検出される温度が、所定の温度Ｔｏよりも高ければステップＳＰ０３で圧縮機２を停止する。また、ステップＳＰ０２で吐出温度検出手段２０で検出される温度が、所定の温度Ｔｏよりも低ければステップＳＰ０４へ進む
。
【００２６】
ステップＳＰ０４では、圧縮機２の運転を開始後、所定時間Ｌｓが経過したかどうかを判断する。このときの所定時間Ｌｓとは、冷媒が安定するための時間を設定し、空気調和機の構成によって異なり、本実施の形態における空気調和機の場合は、実験的に算出した時間を設定している。例えば、本実施の形態の場合は、冷房運転の場合は５分とし、暖房運転の場合は１５分としている。
【００２７】
そして、ステップＳＰ０４で圧縮機２の運転を開始してから所定時間Ｌｓが経過したかどうかを判断しており、所定時間Ｌｓを経過していなければステップＳＰ０２へ戻り、所定時間Ｌｓを経過していればステップＳＰ０５へ進む。
【００２８】
ステップＳＰ０５では、室温検出手段１７で検出される室温と、室内熱交換器温度検出手段１６で検出される室内熱交換器温度とを比較し、その温度差を算出している。そして温度差が、所定の温度Ｔｓ（例えば、４℃）よりも低いかどうかを判断する。このときの所定の温度Ｔｓとは、システムの構成によって異なり実験的に算出されるもので予め設定された温度であり、一義的に決定されるものではない。なお、本実施の形態では４℃としている。
【００２９】
また、ステップＳＰ０５では、室内熱交換器の温度と室温との温度差の絶対値が、所定の温度Ｔｓの範囲内かどうかを判断している。もし、ステップＳＰ０５で温度差の絶対値が所定の温度Ｔｓの範囲内であれば、ステップＳＰ０６へ進み、冷媒が流れていないと判断し、圧縮機２の運転を停止する。また、温度差が所定の温度Ｔｓ以上を検出した場合であっても、室内送風ファンが駆動していないために単に温度差が発生しているだけかもしれないため、ステップＳＰ０７で室内送風ファン１４が駆動しているかどうかを判断している。
【００３０】
ステップＳＰ０７で室内送風ファン１４が駆動している場合にはステップＳＰ０８へ進み、通常運転と判断する。しかしながらステップＳＰ０７で室内送風ファン１４が駆動していない場合は、ステップＳＰ０９へ進み、室外熱交換器温度検出手段９で検出された室外熱交換器の温度を記憶する。
【００３１】
次に、ステップＳＰ１０では、室外送風ファン４を停止もしくは微風として次のステップへ進む。これによって、室外熱交換器３における温度変化が付く方向となるため、正常であれば確実に温度変化を検出することができる。
【００３２】
ステップＳＰ１１では、室外熱交換器温度検出手段９で検出される温度と、ステップＳＰ０９で記憶した室外熱交換器の温度との差を比較し、所定の温度Ｔｇ（例えば、４℃）以上の変化があったかどうかを判断する。このときの所定の温度Ｔｇとは、システムの構成によって異なり実験的に算出されるもので予め設定された温度であり、一義的に決定されるものではない。なお、本実施の形態では４℃としている。
【００３３】
そして、ステップＳＰ１１で室外熱交換器温度の温度変化が、所定の温度Ｔｇ以上の変化があった場合は、ステップＳＰ１３へ進み、通常運転となるが、所定の温度Ｔｇ以内の変化である場合は、ステップＳＰ１２へ進む。
【００３４】
そして、ステップＳＰ１２ではステップＳＰ１０で室外送風ファン４を停止もしくは微風運転としてから所定時間Ｌｇが経過したかどうかを判断している。このときの所定時間Ｌｇとは、実験的に算出した時間を予め設定しており、本実施の形態の場合は、４分としている。
【００３５】
ステップＳＰ１２では、所定時間Ｌｇが経過していなければステップＳＰ１１へ戻り、所定時間Ｌｇが経過した場合は、ステップＳＰ１４へ進み、圧縮機２を停止し、再起動は行なわない。なお、ステップＳＰ０３、ステップＳＰ０６、ステップＳＰ１４において圧縮機２を停止する際は、室外機１もしくは室内機１３に表示器等を設けておき、エラーコード等を表示するようにしてもよい。その場合、サービスマン等への認識を促すことができ、サービス性を向上させることができる。
【００３６】
また、この制御は、圧縮機２の初回起動時のみ行なうことにより、二方弁１１もしくは三方弁１２の開け忘れや、膨張弁の詰まりといった初期不良の判断をすることができ、設置初回以降は判定を行わず通常の運転を継続するため、室外送風ファン４の停止というような通常の空調運転とは異なる判定動作を行わないことで、快適性を損なうことを防止することができる。
【００３７】
以上のように、本実施の形態では、空気調和機を設置した際に冷凍サイクルに異常がないかどうかを精度良く判断することができる。
【００３８】
（実施の形態２）
本実施の形態２における空気調和機は、実施の形態１と同じ構成であるため、実施の形態１と同じ符号を付して、その説明を省略する。
【００３９】
図３は、本実施の形態２における空気調和機の圧縮機の保護制御のフローチャートである。図２と異なる箇所は、図２のステップＳＰ１１では、室外熱交換器３の温度変化を検出したが、本実施の形態では、ステップ２１において、室外熱交換器３の温度と、外気温度検出手段１０で検出される外気温度との温度差を比較している。なお、その他のステップにおいては実施の形態１と同じであるため、同じステップ番号を付して、その説明を省略する。
【００４０】
ステップＳＰ２１において、室外熱交換器３の温度と外気温度とを比較し、その温度差の絶対値が所定の温度Ｔｋ（例えば、４℃）の範囲以内かどうかを判断する。このときの所定の温度Ｔｋとは、システムの構成によって異なり実験的に算出されるもので予め設定された温度であり、一義的に決定されるものではない。なお、本実施の形態では４℃としている。
【００４１】
そして、ステップＳＰ２１で温度差の絶対値が所定の温度Ｔｋ以上の場合は、ステップＳＰ１３へ進み、通常運転となる。また、ステップＳＰ２１で所定の温度Ｔｋ以内である場合は、ステップＳＰ１２へ進む。以降は、実施の形態１と同じである。
【００４２】
以上のように、本実施の形態では、空気調和機を設置した際に冷凍サイクルに異常がないかどうかを精度良く判断することができる。なお、実施の形態１と同様に、この制御は、圧縮機２の初回起動時のみ行なうことにより、二方弁１１もしくは三方弁１２の開け忘れや、膨張弁の詰まりといった初期不良の判断をすることができ、設置初回以降は判定を行わず通常の運転を継続するため、室外送風ファン４の停止というような通常の空調運転とは異なる判定動作を行わないことで、快適性を損なうことを防止することができる。
【産業上の利用可能性】
【００４３】
本発明にかかる空気調和機は、多室型空気調和機に応用すること可能である。
【符号の説明】
【００４４】
１  室外機
２  圧縮機
３  室外熱交換器
４  室外送風ファン
７  四方弁
８  電子膨張弁
９  室外熱交換器温度検出手段
１０  外気温度検出手段
１１  二方弁
１２  三方弁
１３  室内機
１４  室内送風ファン
１５  室内熱交換器
１６  室内熱交換器温度検出手段
１７  室温検出手段
【図１】
0005640710.tif 000002
【図２】
0005640710.tif 000003
【図３】
0005640710.tif 000004